(57)【特許請求の範囲】
【請求項１】
適宜数の通気用小孔１ａを孔設した互いに対向する六面の側板からなる六角形筒状体Ａの上端開口部２の対向する開口端部に、該開口端部を互いに重ね合わせて該開口部２を上方に尖った偏平状に係合閉鎖する係合部３が設けられ、前記側板のうち一対の対向する側板とその両側に隣接する側板のそれぞれ上端開口部２側に、上方に尖った偏平状の前記開口部２を水平な平坦状に折り曲げて六角形に閉鎖する水平折目ｂと該折目ｂの両端から延びる傾斜折目ｃ、ｃが設けられていることを特徴とする長靴用型状保持具。
【請求項２】
適宜数の通気用小孔１ａを孔設した互いに対向する六面の側板からなる六角形筒状体Ａの上端開口部２の対向する開口端部に、該開口端部を互いに重ね合わせて該開口部２を上方に尖った偏平状に係合閉鎖する係合部３が設けられ、前記側板のうち一対の対向する側板とその両側に隣接する側板のそれぞれ上端開口部２側に、上方に尖った偏平状の前記開口部２を水平な平坦状に折り曲げて六角形に閉鎖する水平折目ｂと該折目ｂの両端から延びる傾斜折目ｃ、ｃが設けられ、該筒状体Ａの下端開口部１２の開口端部に、通気用の切欠部１３又は孔設部が設けられていることを特徴とする長靴用型状保持具。
【請求項３】
前記六角形筒状体Ａは、平坦に折り畳み可能であることを特徴とする請求項１又は請求項２記載の長靴用型状保持具。
【請求項４】
前記六角形筒状体Ａは、左右両脚用として左右一対２個（２本）を１セットとして形成され、この２個（２本）の六角形筒状体Ａのうちいずれか一方の六角形筒状体Ａの筒径が、他方の六角形筒状体Ａの筒径よりもわずかに大きい径であって、互いの六角形筒状体Ａの下端開口部１２を対向させて互いに差し込み嵌合して１個（１本）の六角形筒状体Ａとして組み合わせ可能であることを特徴とする請求項１乃至請求項３のいずれか１項記載の長靴用型状保持具。
【発明の詳細な説明】
【０００１】
【発明の属する技術分野】
本発明は、ファッションブーツや雨天用ブーツ等の踵より上方のレッグ部の長い長靴の型状を保持するための長靴用型状保持具に関する。
【０００２】
【従来の技術】
従来より靴の型状保持具としては、靴の爪先部の平面性を保持したり、その変形を矯正したり、あるいは爪先部から踵部に亘る靴底部の平面性を保持するための短靴用の型状保持具があり、例えば、木製やプラスチック製の硬質のブロック型状の保持具や、軟質（クッション性）のパッド型状の保持具や、ベンディング性のある帯鋼材を用いた保持具等がある。
【０００３】
これに対して、ファッションブーツや雨天用ブーツ等の長靴は、踵から垂直上方に伸びるレッグ部分が長いため、レッグ部が折れ曲がり易く、例えば、折れ曲がった状態のまま保管状態に置くと、その部分に折り癖が付いたり、折り皺や傷などが発生し易く、レッグ部が折れ曲がることにより靴内が密閉されて、靴内部に湿気が溜まり易くなり、靴の劣化を速める要因ともなる。
【０００４】
【発明が解決しようとする課題】
そこで、長靴全体の型状を綺麗に保持し、さらに靴を長持ちさせるためには、レッグ部を垂直方向に保持した状態で保管することが望まれるが、レッグ部の型状を簡単に保持するための用具は大掛かりになり易く、簡易な型状保持具によって簡単な操作で保持できる用具が要望されていた。
【０００５】
本発明は、ファッションブーツや雨天用ブーツ等の長靴の全体型状、特にレッグ部分の型状を簡単な操作で垂直方向に保持できる簡易な長靴用型状保持具を提供することにある。
【０００６】
【課題を解決するための手段】
本発明の請求項１に係る発明は、適宜数の通気用小孔１ａを孔設した互いに対向する六面の側板からなる六角形筒状体Ａの上端開口部２の対向する開口端部に、該開口端部を互いに重ね合わせて該開口部２を上方に尖った偏平状に係合閉鎖する係合部３が設けられ、前記側板のうち一対の対向する側板とその両側に隣接する側板のそれぞれ上端開口部２側に、上方に尖った偏平状の前記開口部２を水平な平坦状に折り曲げて六角形に閉鎖する水平折目ｂと該折目ｂの両端から延びる傾斜折目ｃ、ｃが設けられていることを特徴とする長靴用型状保持具である。
【０００７】
次に本発明の請求項２に係る発明は、適宜数の通気用小孔１ａを孔設した互いに対向する六面の側板からなる六角形筒状体Ａの上端開口部２の対向する開口端部に、該開口端部を互いに重ね合わせて該開口部２を上方に尖った偏平状に係合閉鎖する係合部３が設けられ、前記側板のうち一対の対向する側板とその両側に隣接する側板のそれぞれ上端開口部２側に、上方に尖った偏平状の前記開口部２を水平な平坦状に折り曲げて六角形に閉鎖する水平折目ｂと該折目ｂの両端から延びる傾斜折目ｃ、ｃが設けられて、該筒状体Ａの下端開口部１２の開口端部に通気用の切欠部１３又は孔設部が設けられていることを特徴とする長靴用型状保持具である。
【０００８】
次に本発明の請求項３に係る発明は、上記請求項１又は請求項２に係る発明の長靴用型状保持具において、前記六角形筒状体Ａは、平坦に折り畳み可能であることを特徴とする長靴用型状保持具である。
【０００９】
次に本発明の請求項４に係る発明は、上記請求項１乃至請求項３のいずれか１項に係る発明の長靴用型状保持具において、前記六角形筒状体Ａは、左右両脚用として左右一対２個（２本）を１セットとして形成され、この２個（２本）の六角形筒状体Ａのうちいずれか一方の六角形筒状体Ａの筒径が、他方の六角形筒状体Ａの筒径よりもわずかに大きい径であって、互いの六角形筒状体Ａの下端開口部１２を対向させて互いに差し込み嵌合して１個（１本）の六角形筒状体Ａとして組み合わせ可能であることを特徴とする長靴用型状保持具である。
【００１０】
【発明の実施の形態】
本発明の長靴用型状保持具を、実施の形態に沿って以下に詳細に説明する。
【００１１】
図１は、本発明の長靴用型状保持具の実施の形態の一例を示す展開図（ブランクシート）であり、例えば、図示するようにブランクシート１は、各々側板折目ａを介して、側板２１、２２、２３、２４、２５、２６が連設され、該側板２６の側方に貼着板２７が連設されている。
【００１２】
このシート１は、各折目ａを介して同一方向に折り曲げて六角形筒状体に形成されるものである。なお、各側板折目ａは互いに平行な折目又はテーパー状の折目であり、ブランクシート１から形成される六角形筒状体は、筒状体の両端において同じサイズの角柱形状又は筒状体の両端において異なるサイズの角錐台形状のいずれであってもよい。
【００１３】
上記ブランクシート１は、透明又は半透明又は不透明のいずれでもよく、また該シート１面には、彩色、絵柄、模様、文字など、適宜印刷が施されていてもよく、またブランクシート１の適宜位置には、複数の通気用小孔１ａが貫設されていて、例えば、図示するように、それぞれ側板２１、２３、２３、２６に複数の通気用小孔１ａが貫設されている。
【００１４】
ブランクシート１は、ポリプロピレン、ポリエチレンテレフタレート、ポリ塩化ビニル、ポリスチレン等の合成樹脂製フィルム（シート）、紙製シート、不織布シート、織布シート、アルミニウム製シート、又はそれらのうちいずれかのシートを複合した複合シート等のシート材料を用いて形成することができる。
【００１５】
上記ブランクシート１の一端部には、該シート１を六角形筒状体に形成した際における前記一端部側の筒状開口部での互いの対向相当部分に、突起状に突出する二つの係合部３、３が設けられ、該シート１の他端部には、必要に応じて、図示するように円弧状（又は湾曲状）等の適宜形状に切り欠かれた通気用の切欠部１３、又はこの切欠部１３の切欠面積程度のサイズの適宜形状の孔設部（図示せず）が設けられている。
【００１６】
前記二つの係合部３、３は、例えば図示するように、前記側板２１、２２、２３のうち中央の側板２２の一端部と、前記側板２４、２５、２６のうち中央の側板２５の一端部とに設けられ、それぞれ係合部３の突起基部には、折目ａと直交する方向に同一方向に切込線３ａが形成されている。なお、係合部３の外形状は特に限定されないが、図示するように、丸みを持たせた外形状が適当である。
【００１７】
前記通気用の切欠部１３（又は孔設部）は、例えば、図示するように、前記側板２４、２５、２６の他端部に亘って湾曲形状に設けられている。なお、この切欠部１３の切り欠き形状は湾曲形状に限定されるものではなく、円弧形状、矩形状、三角形状等多角形状などいずれの切込形状でもよい。また、通気用の孔設部１３の場合にも孔設形状は特に限定されず、円形状、楕円形状、長孔形状、矩形状、三角形状等多角形状などいずれの孔設形状でもよい。
【００１８】
上記ブランクシート１の前記二つの係合部３、３が設けられているそれぞれ側板２２、２５の一端部側には、折目ａと直交する方向に折目ｂ、ｂが設けられ、前記側板２２に隣接するそれぞれ側板２１、２３と、前記側板２５に隣接するそれぞれ側板２４、２６には、前記それぞれ折目ｂの両端部を起点相当部として一端部の端縁方向に延びる４５°傾斜する傾斜折目ｃ、ｃが連続的に設けられている。
【００１９】
図２は、本発明の長靴用型状保持具の実施の形態の一例を示す外観斜視図であり、上記図１に示すブランクシート１を、各折目ａを介して同一方向に折り曲げて六角形筒状にした後に、該シート１の折り曲げ両端部の側板２１と貼着板２７とを重ね合わせ、その重ね合わせ面を接着剤や粘着剤を介して貼着したり、プラスチック製、金属製のホッチキス、鳩目等の止め具等にて接合したりして、上端開口部２と下端開口部１２を備えた六角形筒状体Ａとして形成したものである。
【００２０】
なお、本発明の長靴用型状保持具は、上記ブランクシート１を使用せずに、押し出し成形加工方式にて押し出し成形して作製した合成樹脂製（又はアルミニウム製）の六角形筒状体（チューブ状体）を用いて、その筒状体の一端開口部２を断裁加工して係合部３、他端開口部１２を断裁加工にて切欠部１３を設けたものでもよい。
【００２１】
図２に示すように、上記六角形筒状体Ａの上端開口部２における互いに対向する端部には、突起状の係合部３、３が設けられていて、それぞれ係合部３、３の突起基部には、互いに反対方向から水平に途中まで各々切込線３ａ、３ａが刻切形成されている。
【００２２】
上記六角形筒状体Ａの下端開口部１２における端部の一部には、適宜形状の通気用の切欠部１３が形成されている。この切欠部１３は、靴内、特に靴の爪先側に装填される乾燥剤や吸湿剤、あるいは消臭剤や脱臭剤、芳香剤などの薬効剤Ｃ（あるいは薬効剤入りケース）の蒸散気体を靴の内部全体に行き渡るようにして薬効剤Ｃの靴内での効力を増大させたり、靴内の湿気や臭気を靴内、特に爪先側に滞留させないように靴外に排出させたりすることができる。
【００２３】
また、六角形筒状体Ａの下端開口部１２を靴内の踵の高さ分だけ切り欠いて切欠部１３内を設けることにより、踵の高い部分を回避することができる。
【００２４】
六角形筒状体Ａの下端開口部１２の側板２４、２５、２６の三面の端部に亘って、円弧形状の切欠部１３が形成され、六角形筒状体Ａの下端開口部１２の外側から、この切欠部１３を介して該筒状体Ａの内部に亘って、乾燥剤や消臭剤や芳香剤などの部材や器具を嵌入することができる。
【００２５】
本発明の長靴用型状保持具を使用する際には、六角形筒状体Ａを次のように組み立てて使用することができる。
【００２６】
まず、図２に示す六角形筒状体Ａの上端開口部２の対向端部を互いに重ね合わせて、互いに対向する１対の端部に設けた突起状の係合部３、３を、各々係合部の反対側の基部をその基部に対して互いに反対方向に水平に切り込まれた切込線３ａ、３ａ内に互いに差し込み係合して、図３に示すように六角形筒状体Ａの下端開口部１２を六角形状に保持した状態で、上端開口部２を上方に向かって尖った状態に偏平状に閉鎖する。
【００２７】
次に、同図３に示す閉鎖した上端開口部２の互いに対向する側板２２、２５に形成したそれぞれ水平方向の折目ｂと、側板２２に隣接する側板２１、２３に形成したそれぞれ傾斜折目ｃ、ｃと、側板２５にに隣接する側板２４、２６に形成したそれぞれ傾斜折目ｃ、ｃとをそれぞれ同一方向（山折り方向）に折り曲げ、水平方向の前記折目ｂより上側の各折目ａ、ａ、ａ、ａを、その反対方向（山折り方向）にそれぞれ折り曲げる。
【００２８】
これにより、図３に示す偏平状に閉鎖する上端開口部２を、係合部３、３の切込線３ａ、３ａ内への差し込み係合状態を保持したまま、対向する側板２２、２５の折目ｂより上側部分を水平に突き合わせるようにして、図４に示すように、尖った状態に閉鎖する上端開口部２を、水平な平坦状に折り潰して六角形状に閉鎖させ、上端開口部２から下端開口部１２に亘って六角形状に保持され、上端開口部２の閉鎖した六角形筒状体Ａを形成する。
【００２９】
この六角形筒状体Ａは、左右両脚の一対の長靴用として２個、左右一対を形成するものであるが、この２個（２本）の六角形筒状体Ａのうち、いずれか一方の六角形筒状体Ａの筒径を、他方の六角形筒状体Ａの筒径よりもわずかに大きい径（いずれか一方の六角形筒状体Ａの側板２１、２２、２３、２４、２５、２６を他方の六角形筒状体Ａの各々側板よりもわずかに大きい幅）とすることにより、本発明の保持具を使用しない時や保管する時には、互いに左右長靴用の２個の六角形筒状体Ａを、その下端開口部１２、１２を対向させて互いに差し込み嵌合させ、前記左右一対２個（２本）の六角形筒状体Ａを１個（１本）に組み合わせてコンパクトに保管することができ、また、互いに嵌合した２個の六角形筒状体Ａ内には上記薬効剤等をはじめとして、靴クリーム、靴磨き用ブラシなどを収納保管することが可能である。
【００３０】
図５は、長靴Ｂの側断面図であり、Ｂ1 は長靴のレッグ部、Ｂ2 は爪先部、Ｂ3 は靴底部であり、このようにして六角形状を保持して組み立てられた六角形筒状体Ａによる本発明保持具は、長靴のレッグ部内に差し込むことにより使用されるものであるが、本発明においては、その差し込み方等は特に限定されず、どのようにして差し込んでもよいが、組み立てられた六角形筒状体Ａに切欠部１３を設けた場合には、その筒状体Ａの切欠部１３を差し込み先端側にして、長靴Ｂのレッグ部Ｂ1 内に差し込むことが望ましい。
【００３１】
組み立てられた六角形筒状体Ａを、長靴のレッグ部Ｂ1 内に差し込む際の筒状体Ａの切欠部１３の方向は、どのような向きに差し込んでもよいが、例えば、図５に図示するように、その筒状体Ａの切欠部１３が爪先部Ｂ2 方向を向くように長靴ＢのレッグＢ1 内に差し込む。これにより、六角形筒状体Ａは、レッグ部Ｂ1 の形状を垂直方向に保持して折れ曲がりを防ぎ、レッグ部Ｂ1 の変形を防ぐものである。
【００３２】
また、長靴のレッグ部Ｂ1 内に差し込む際の筒状体Ａの切欠部１３の方向としては、例えば、その筒状体Ａの切欠部１３が、図５に示す爪先部Ｂ2 方向とは反対方向の踵方向（爪先部Ｂ2 と反対方向）を向くようにして、長靴ＢのレッグＢ1 内に差し込むようにしてもよい。これにより、靴内の踵水平面や踵垂直面（踵背面）にクッション材やパッドなどの隆起部が形成されている場合に、それを回避することができるものである。
【００３３】
また、図示するように、長靴Ｂ内の靴底部Ｂ3 の内底部（例えば爪先部Ｂ2 や踵部）に乾燥剤Ｃ（あるいは消臭剤、脱臭剤、芳香剤等）を設置した後に、組み立てられた六角形筒状体Ａを、その筒状体Ａの切欠部１３を先端側にして、該切欠部１３が爪先部Ｂ2 方向を向くように長靴ＢのレッグＢ1 内に差し込む。これにより乾燥剤Ｃの一部分を、通気用の切欠部１３から筒状体Ａ内に嵌入させることができる。
【００３４】
【発明の効果】
本発明の長靴用型状保持具は、六角形筒状体の上端開口部にある互いに対向する１対の端部に設けた係合部を互いに差し込み係合して、上端開口部を上方に向かって尖った状態に偏平状に閉鎖した後に、係合部の係合状態を保持したまま尖った状態に閉鎖している上端開口部を、水平な平坦状に折り潰して六角形状に閉鎖させることにより上端開口部から下端開口部に亘って確実強固な六角形筒状体を保持（保形）することができる。
【００３５】
そして、本発明の長靴用型状保持具を長靴のレッグ部に差し込んで、長靴を保管することにより、ファッションブーツや雨天用ブーツ等の長靴の全体型状、特にレッグ部分の型状を綺麗に保持し、さらに靴を長持ちさせるために、レッグ部を垂直方向に保持した状態で保管することができ、簡易な構造体の保持具によって、簡単な操作で確実に保持できる効果がある。
【００３６】
また本発明の長靴用型状保持具は、六角形筒状体の側板に設けられた通気用小孔や、その下端開口部に設けられた通気用の切欠部により長靴内外の通気性が良好になり、長靴内の湿気や臭気を靴外に容易に通気排出させることができるとともに、長靴内に装填した乾燥剤、吸湿剤、消臭剤、脱臭剤、芳香剤等の薬効剤の効力が増大する効果がある。
【図面の簡単な説明】
【図１】本発明の長靴用型状保持具の一例を示すブランクシート。
【図２】本発明の長靴用型状保持具の組み立て前における全体斜視図。
【図３】本発明の長靴用型状保持具の組み立て途中における全体斜視図。
【図４】本発明の長靴用型状保持具の組み立て完成後の全体斜視図。
【図５】本発明の長靴用型状保持具を長靴内に装着した状態を示す全体側断面図。
【符号の説明】
Ａ…六角形筒状体  Ｂ…長靴  Ｃ…薬効剤
ａ…側板折目  ｂ…水平折目  ｃ…傾斜折目
１…ブランクシート  １ａ…通気用小孔  ２…上端開口部  ３…係合部
３ａ…切込線
１２…下端開口部  １３…通気用の切込部
２１、２２、２３、２４、２５、２６…側板  ２７…接合板
【図１】
0003899794.tif 000002
【図２】
0003899794.tif 000003
【図３】
0003899794.tif 000004
【図４】
0003899794.tif 000005
【図５】
0003899794.tif 000006